(57)【要約】      （修正有）【課題】破損したり事故が発生しにくく、警報の信頼性が高く、安定性及び耐久性に優れた、温度検出警報装置を提供する。【解決手段】プラグ１１とコンセント１２のいずれか一方または両者の組み合わせより成る本体１を含み、本体が温度検出警報回路板１１０，１２０を備え、温度検出警報回路板が、変形温度に達する熱を受けると変形を発生する温度検出スイッチと、警報部材を含み、温度検出スイッチが変形温度に達する熱を受けて変形した時、温度検出警報回路板の電気回路が導通して、警報部材が警報信号を発生する。温度検出スイッチは２つの膨張係数が異なる金属片を貼り合わせた二重金属片よりなる。また温度検出スイッチに並列接続され、温度検出警報回路板が正常な状態であるか否かを検査する機能検査部材１１１，１２１を含むのが好ましい。【選択図】図１
0003191808.tif 000002
【実用新案登録請求の範囲】
【請求項１】
プラグとコンセントのいずれか一方または両者の組み合わせより成る本体を含み、前記本体が温度検出警報回路板を備え、前記温度検出警報回路板が、変形温度に達する熱を受けると変形を発生する温度検出スイッチと、警報部材を含み、前記温度検出スイッチが前記変形温度に達する熱を受けて変形した時、前記温度検出警報回路板の電気回路が導通して、前記警報部材が警報信号を発生することを特徴とする、温度検出警報装置。
【請求項２】
前記温度検出スイッチが二重金属片よりなり、前記二重金属片は２つの膨張係数が異なる金属片を貼り合わせたものであることを特徴とする、請求項１に記載の温度検出警報装置。
【請求項３】
前記温度検出警報回路板が、前記温度検出スイッチに並列接続され、温度検出警報回路板が正常な状態であるか否かを検査する機能検査部材を含むことを特徴とする、請求項１に記載の温度検出警報装置。
【請求項４】
前記本体がコンセントよりなり、前記コンセントが、テーブルタップまたはコンセントアダプタのいずれかであることを特徴とする、請求項１に記載の温度検出警報装置。
【請求項５】
前記警報部材が発光装置とスピーカーのいずれか一方または両者の組み合わせより成ることを特徴とする、請求項１に記載の温度検出警報装置。
【請求項６】
前記温度検出警報回路板が、第１交流電源、第１温度検出スイッチ、機能検査部材、第１抵抗、前記警報部材である発光装置、第１ダイオード、第２抵抗、第１キャパシタ、前記警報部材である第１ブザーを含み、前記第１交流電源の一端が前記第１温度検出スイッチの一端及び前記機能検査部材の一端に電気的に接続され、前記第１温度検出スイッチの他端及び前記機能検査部材の他端が前記第１抵抗の一端、前記第１キャパシタの一端及び前記第１ブザーの一端に電気的に接続され、前記第１抵抗の他端が前記発光装置の一端に電気的に接続され、前記発光装置の他端が前記第１交流電源の他端及び前記第１ダイオードの陽極端に電気的に接続され、前記第１ダイオードの陰極端が前記第２抵抗の一端に電気的に接続され、前記第２抵抗の他端が前記第１キャパシタの他端及び前記第１ブザーの他端に電気的に接続されたことを特徴とする、請求項１に記載の温度検出警報装置。
【請求項７】
前記温度検出警報回路板が第２交流電源、第２温度検出スイッチ、第２検査部材、第２キャパシタ、第３抵抗、第２ダイオード、第３ダイオード、第３キャパシタ、前記警報部材である第２ブザー、第４抵抗、前記警報部材である発光ダイオードを含み、前記第２交流電源の一端が前記第２温度検出スイッチの一端及び前記第２検査部材の一端に電気的に接続され、前記第２交流電源の他端が前記第２キャパシタの一端及び前記第３抵抗の一端に電気的に接続され、前記第２温度検出スイッチの他端及び前記第２検査部材の他端が前記第２ダイオードの陽極端及び前記第３キャパシタの一端、前記第２ブザーの一端、前記第４抵抗の一端に電気的に接続され、前記第４抵抗の他端が前記発光ダイオードの陰極端に電気的に接続され、前記発光ダイオードの陽極端が前記第２ブザーの他端、前記第３キャパシタの他端及び前記第３ダイオードの陰極端に電気的に接続され、前記第３ダイオードの陽極端が前記第２ダイオードの陰極端及び前記第２キャパシタの他端、前記第３抵抗の他端に電気的に接続されたことを特徴とする、請求項１に記載の温度検出警報装置。
【考案の詳細な説明】
【技術分野】
【０００１】
本考案は、プラグとコンセントのいずれか一方または両者の組み合わせから成る本体を備え、本体内の温度検出警報回路板の温度検出スイッチ素子が変形温度に達する熱を受けて変形することにより、前記温度検出警報回路板の電気回路を導通させて警報を発生する、温度検出警報装置に関する。
【背景技術】
【０００２】
一般的に市販されているプラグまたはコンセントの構造は、電器の電気コードの一端が壁のコンセントに挿入されて電力の供給を得、他端が前記電器に挿入されて、電力が前記電器に入力され、前記電器を作動させることができるようになっている。しかしながら、前記電気コードを流れる負荷が過大になると、温度が高くなり過ぎて焼き付きが発生し、電気コードから火が出る重大な問題につながることがある。
このため、現在、警報機能を備えたプラグまたはコンセントが提供されている。
【０００３】
例えば、特許文献１に記載の「プラグの警告構造（Ａｌｅｒｔ  ｓｔｒｕｃｔｕｒｅ  ｏｆ  ｐｌｕｇ）」は、過熱時に警告のにおいを発生するプラグの警告構造であって、プラグ本体上に嵌置溝が形成され、前記嵌置溝内に熱伝導金属座体が設置され、熱伝導金属座体内に警告ユニットが設置されており、前記警告ユニットが熱伝導金属座体に密着できる導熱殼体を備え、導熱殼体内に芳香物質が設置され、また導熱殼体の上面に少なくとも１つの気孔が形成された蓋体が設置されている。これにより、プラグの温度が上昇して芳香物質がにおいを発生する温度に達すると、前記警告ユニット内の芳香物質が継続的ににおいを発生し、使用者に確認または保守を促すことができる。
【０００４】
また、特許文献２には「電気量表示及び過負荷警告効果を備えたコンセントの構造（Ｐｏｗｅｒ  ｓｏｃｋｅｔ  ｓｔｒｕｃｔｕｒｅ  ｈａｖｉｎｇ  ｐｏｗｅｒ−ｃｏｎｓｕｍｐｔｉｏｎ  ｉｎｄｉｃａｔｉｎｇ  ａｎｄ  ｏｖｅｒ−ｌｏａｄ  ａｌａｒｍｉｎｇ  ｅｆｆｅｃｔｓ）」が開示されている。これは、本出願人が台灣実用新案公告第８６２０９８５１号として提案したものの改良であって、コンセント本体の一側にある開孔に回路に接続された電気量表示メーターを設置し、電気量表示メーターの目盛り上に適切な色または警告表示を設けて安全量と危険量の区分を行い、コンセントに負荷がかかると、前記電気量表示メーターが現在のコンセントの電流負荷量を表示することができ、または別途サーミスタを設置して状態を検出し、警報回路を駆動して警報音を発生させ、使用者にコンセントの電気使用量の状況を調整させることができる。
【０００５】
しかしながら、上述の従来品には次のような改善が必要な欠点がある。
１．特許文献１には、前記「プラグの警告構造」におけるプラグが過熱時ににおいの警告を発することができると記載されているが、警告のにおいだけでは直ちに警報としての効果が達せられないため、プラグが過熱して破損したり、その他事故が発生したりする危険性が存在する。
２．特許文献２の「電気量表示及び過負荷警告効果を備えたコンセントの構造」は、コンセント本体の一側に設置された電気量表示メーターが現在のコンセントの電流負荷量を表示するものであるが、前記電気量表示メーターは指針式であるため、破損したり誤差が生じたりしやすいという欠点がある。
３．特許文献２の「電気量表示及び過負荷警告効果を備えたコンセントの構造」は、別途サーミスタを設け、警告回路を駆動して警告音を発生することができるが、前記サーミスタ素子は劣化しやすいため、安定性に優れない。
【先行技術文献】
【特許文献】
【０００６】
【特許文献１】台湾実用新案公告第Ｍ４４６９９５号明細書
【特許文献２】台湾特許公告第４２２４１９号明細書
【考案の概要】
【考案が解決しようとする課題】
【０００７】
本考案が解決しようとする課題は、上述の問題を解決し、破損したり事故が発生しにくく、警報の信頼性が高く、安定性及び耐久性に優れた、温度検出警報装置を提供することにある。
【課題を解決するための手段】
【０００８】
本考案の温度検出警報装置は、プラグとコンセントのいずれか一方または両者の組み合わせより成る本体を含み、前記本体が温度検出警報回路板を備え、前記温度検出警報回路板が、変形温度に達する熱を受けると変形を発生する温度検出スイッチと、警報部材を含み、前記温度検出スイッチが前記変形温度に達する熱を受けて変形した時、前記温度検出警報回路板の電気回路が導通して、前記警報部材が警報信号を発生する。
【０００９】
前記温度検出スイッチは、２つの膨張係数が異なる金属片を貼り合わせた二重金属片としてもよい。
前記温度検出警報回路板が、前記温度検出スイッチに並列接続され、温度検出警報回路板が正常な状態であるか否かを検査する機能検査部材を含むことがある。
前記本体がコンセントよりなる時、前記コンセントをテーブルタップまたはコンセントアダプタとしてもよい。
前記警報部材は発光装置とスピーカーのいずれか一方または両者の組み合わせより成る。
【００１０】
前記温度検出警報回路板が、第１交流電源、第１温度検出スイッチ、機能検査部材、第１抵抗、前記警報部材である発光装置、第１ダイオード、第２抵抗、第１キャパシタ、前記警報部材である第１ブザーを含み、前記第１交流電源の一端が前記第１温度検出スイッチの一端及び前記機能検査部材の一端に電気的に接続され、前記第１温度検出スイッチの他端及び前記機能検査部材の他端が前記第１抵抗の一端、前記第１キャパシタの一端及び前記第１ブザーの一端に電気的に接続され、前記第１抵抗の他端が前記発光装置の一端に電気的に接続され、前記発光装置の他端が前記第１交流電源の他端及び前記第１ダイオードの陽極端に電気的に接続され、前記第１ダイオードの陰極端が前記第２抵抗の一端に電気的に接続され、前記第２抵抗の他端が前記第１キャパシタの他端及び前記第１ブザーの他端に電気的に接続されることがある。
【００１１】
前記温度検出警報回路板が第２交流電源、第２温度検出スイッチ、第２検査部材、第２キャパシタ、第３抵抗、第２ダイオード、第３ダイオード、第３キャパシタ、前記警報部材である第２ブザー、第４抵抗、前記警報部材である発光ダイオードを含み、前記第２交流電源の一端が前記第２温度検出スイッチの一端及び前記第２検査部材の一端に電気的に接続され、前記第２交流電源の他端が前記第２キャパシタの一端及び前記第３抵抗の一端に電気的に接続され、前記第２温度検出スイッチの他端及び前記第２検査部材の他端が前記第２ダイオードの陽極端及び前記第３キャパシタの一端、前記第２ブザーの一端、前記第４抵抗の一端に電気的に接続され、前記第４抵抗の他端が前記発光ダイオードの陰極端に電気的に接続され、前記発光ダイオードの陽極端が前記第２ブザーの他端、前記第３キャパシタの他端及び前記第３ダイオードの陰極端に電気的に接続され、前記第３ダイオードの陽極端が前記第２ダイオードの陰極端及び前記第２キャパシタの他端、前記第３抵抗の他端に電気的に接続されることもある。
【考案の効果】
【００１２】
本考案には次のような効果がある。
１．温度検出警報回路板上の温度検出スイッチが二重金属片であり、前記二重金属片が熱を受けると、膨張係数がより大きい金属片が膨張係数の小さい金属片に向かってたわみ、変形を発生し、前記温度検出警報回路板の電気回路を導通させることで、警報音または（及び）光を発し、災害の発生を回避することができる。
２．機能検査部材が設置され、温度検出警報回路板が正常な状態であるか否かを検査するため、警報の信頼性を高めることができる。
３．温度検出スイッチは劣化しにくい二重金属片を利用しているため、安定性が向上し、使用寿命もより長くなる。
４．応用範囲が広く、プラグ、コンセント、テーブルタップ、コンセントアダプタ等に応用できる。
【図面の簡単な説明】
【００１３】
【図１】本考案の実施例１を示す温度検出警報装置の斜視図である。
【図２】本考案の実施例１に係るプラグまたはコンセントの回路図である。
【図３】本考案の実施例１を示す温度検出警報装置の警報発生時における斜視図である。
【図４】本考案の実施例２を示す温度検出警報装置の平面図である。
【図５】本考案の実施例３を示す温度検出警報装置の斜視図である。
【図６】本考案の実施例４を示す温度検出警報装置の回路図である。
【図７】本考案の実施例５を示す温度検出警報装置の斜視図である。
【考案を実施するための形態】
【００１４】
以下、本考案の実施例を図面に基づいて詳細に説明する。図１〜図３は、本考案の実施例１を示す。
実施例１において、温度検出警報装置は、図１に示すように、電気コードの両端にそれぞれ接続されたプラグ１１とコンセント１２からなる本体１を含む。
プラグ１１は、温度検出警報回路板１１０、機能検査部材１１１、ＬＥＤランプ１１２、スピーカー孔１１３を含む。
温度検出警報回路板１１０は、図２に示すように、第１交流電源１１０１、第１温度検出スイッチ１１０２、機能検査部材１１１、第１抵抗１１０４、ＬＥＤランプ１１２、第１ダイオード１１０６、第２抵抗１１０７、第１キャパシタ１１０８、第１ブザー１１０９を備える。
【００１５】
これらの相互の電気的接続関係は、第１交流電源１１０１の一端が第１温度検出スイッチ１１０２の一端及び機能検査部材１１１の一端に電気的に接続され、第１温度検出スイッチ１１０２の他端及び機能検査部材１１１の他端が第１抵抗１１０４の一端、第１キャパシタ１１０８の一端及び第１ブザー１１０９の一端に電気的に接続され、第１抵抗１１０４の他端がＬＥＤランプ１１２の一端に電気的に接続され、ＬＥＤランプ１１２の他端が第１交流電源１１０１の他端及び第１ダイオード１１０６の陽極端に電気的に接続され、第１ダイオード１１０６の陰極端が第２抵抗１１０７の一端に電気的に接続され、第２抵抗１１０７の他端が第１キャパシタ１１０８の他端及び第１ブザー１１０９の他端に電気的に接続されている。
【００１６】
図１に示すように、コンセント１２も温度検出警報回路板１２０、機能検査部材１２１、ＬＥＤランプ１２２、スピーカー孔１２３を含む。
温度検出警報回路板１２０は、図２に示すように、第１交流電源１２０１、第１温度検出スイッチ１２０２、機能検査部材１２１、第１抵抗１２０４、ＬＥＤランプ１２２、第１ダイオード１２０６、第２抵抗１２０７、第１キャパシタ１２０８、第１ブザー１２０９を含む。
【００１７】
これらの相互の電気的接続関係は、第１交流電源１２０１の一端が第１温度検出スイッチ１２０２の一端及び機能検査部材１２１の一端に電気的に接続され、第１温度検出スイッチ１２０２の他端及び機能検査部材１２１の他端が第１抵抗１２０４の一端、第１キャパシタ１２０８の一端及び第１ブザー１２０９の一端に電気的に接続され、第１抵抗１２０４の他端がＬＥＤランプ１２２の一端に電気的に接続され、ＬＥＤランプ１２２の他端が第１交流電源１２０１の他端及び第１ダイオード１２０６の陽極端に電気的に接続され、第１ダイオード１２０６の陰極端が第２抵抗１２０７の一端に電気的に接続され、第２抵抗１２０７の他端が第１キャパシタ１２０８の他端及び第１ブザー１２０９の他端に電気的に接続されている。
【００１８】
実施例１において、第１抵抗１１０４，１２０４の値は１２０ＫΩであり、第１ダイオード１１０６，１２０６の型番は１Ｎ４００７であり、第２抵抗１１０７，１２０７の値は６．８ＫΩであり、第１キャパシタ１１０８，１２０８の値は１００マイクロファラドである。温度が温度検出警報回路板１１０、１２０の電気回路を導通させるに至らないときは、第１温度検出スイッチ１１０２、１２０２がオフの状態であり、このとき温度検出警報回路板１１０、１２０の電気回路の消費電力量は０ワットに等しい。温度が温度検出警報回路板１１０、１２０の電気回路を導通させるに至ったときは、第１温度検出スイッチ１１０２、１２０２がオンの状態になり、このとき温度検出警報回路板１１０、１２０の電気回路の消費電力量は１２ｍＡより小さく、実測値は約６ｍＡ〜１０ｍＡの間である。
【００１９】
プラグ１１の温度検出警報回路板１１０の第１温度検出スイッチ１１０２とコンセント１２の温度検出警報回路板１２０の第１温度検出スイッチ１２０２は二重金属片よりなる。この二重金属片は、２つの膨張係数が異なる金属片を貼り合わせたものである。
二重金属片が熱を受けたときの作動原理は次の通りである。金属の体積の冷収縮及び熱膨張を利用して、２種類の膨張係数が異なる金属片を１つに貼り合わせたことにより温度変化時に膨張係数がより大きい金属片が膨張係数の小さい金属片に向かってたわみ、湾曲変形が発生する。
【００２０】
実施例１においては、二重金属片が湾曲変形すると、図３に示すように、温度検出警報回路板１１０、１２０の電気回路が導通し、第１ブザー１１０９、１２０９が警報音を発し、スピーカー孔１１３、１２３から発音し、かつ、ＬＥＤランプ１１２、１２２が警告光を発生し、プラグ１１またはコンセント１２が過熱状態のまま再度使用されることがないようにすることができ、使用上の安全性が向上される。機能検査部材１１１、１２１はさらに、プラグ１１／コンセント１２上に設置された温度検出警報回路板１１０、１２０が正常な作動状態にあるか否かを検査することができる。
なお、プラグ１１とコンセント１２のいずれか一方のみを温度検出警報装置の本体とすることもできる。この場合、温度検出警報装置の本体であるプラグ１１またはコンセント１２のみが警報音及び警告光によって警報を発する。
また、ＬＥＤランプ１１２，１２２はネオンランプ等の他の発光装置に置き換えることが可能である。
【００２１】
図４は、本考案の実施例２を示す。
実施例２の温度検出警報装置は、テーブルタップＡより成る本体を含む。
テーブルタップＡは、温度検出警報回路板Ａ１、機能検査部材Ａ１１、ＬＥＤランプＡ１２、スピーカー孔Ａ１３を含む。温度検出警報回路板Ａ１、機能検査部材Ａ１１、ＬＥＤランプＡ１２、スピーカー孔Ａ１３の構造は実施例１の対応する部材と同様である。
テーブルタップＡは複数の電器のプラグを挿入できる複数の差込口を備え、使用時に同時使用する複数の電器によって負荷電流が過大になった場合、温度が上昇して変形温度に達すると、温度検出警報回路板Ａ１の二重金属片は前記変形温度によって膨張係数がより大きい金属片が膨張係数の小さい金属片に向かってたわみ、湾曲変形が発生し、それにより温度検出警報回路板Ａ１の電気回路を導通させ、ＬＥＤランプＡ１２がすぐに点灯または点滅し、警報音がスピーカー孔Ａ１３から発せられるため、すぐに過負荷状態を処理するように効果的に使用者に警告し、温度が高すぎる状態が持続して瞬間的な電線の発火を生じて取り返しの付かない傷害が発生することを回避できる。また、機能検査部材Ａ１１はテーブルタップＡ上に設置された温度検出警報回路板Ａ１が正常な作動状態にあるか否かを検査することができる。
【００２２】
図５は、本考案の実施例３を示す。
実施例は、１対１のコンセントアダプタＣ、即ち、３つの差込孔を有する差込口が２つの刃を有するプラグに対応するコンセントアダプタＣより成る本体を含む。コンセントアダプタＣは、使用時に前記２つの刃を壁のコンセントに挿入し、任意の電器をコンセントアダプタＣの差込口に接続する。
また、コンセントアダプタＣは、実施例２の温度検出警報回路板Ａ１、機能検査部材Ａ１１、ＬＥＤランプＡ１２、スピーカー孔Ａ１３と同様の温度検出警報回路板Ｃ１、機能検査部材Ｃ１１、ＬＥＤランプＣ１２、スピーカー孔Ｃ１３を有する。
【００２３】
負荷電流が過大になり温度が上昇すると、前記二重金属片の膨張係数がより大きい金属片が膨張係数の小さい金属片に向かってたわみ、湾曲変形を発生し、温度検出警報回路板Ｃ１の電気回路を導通させ、警告光が前記ＬＥＤランプＣ１２により発せられ、警報音がスピーカー孔Ｃ１３より発せられて、コンセントアダプタＣが過熱状態のまま再度使用されることを回避し、使用上の安全性を高めることができる。また、機能検査部材Ｃ１１は温度検出警報回路板Ｃ１が正常な動作状態にあるか否かを、即ち、警告光がＬＥＤランプＣ１２から発せられ、警報音がスピーカー孔Ｃ１３から発せられるかを検査する。これにより、温度検出警報回路板Ｃ１が普段から正常な作状態にあることを確約でき、使用上の正確性を高めることができる。
【００２４】
図６は、本考案の実施例４を示す。
実施例４では、本体に設けた温度検出警報回路板Ｄが、第２交流電源Ｄ１、第２温度検出スイッチＤ２、第２検査部材Ｄ３、第２キャパシタＤ４、第３抵抗Ｄ５、第２ダイオードＤ６、第３ダイオードＤ７、第３キャパシタＤ８、第２ブザーＤ９、第４抵抗Ｄ１０、発光ダイオードＤ１１を含む。
【００２５】
これらの電気的接続関係は、第２交流電源Ｄ１の一端が第２温度検出スイッチＤ２の一端及び第２検査部材Ｄ３の一端に電気的に接続され、第２交流電源Ｄ１の他端が第２キャパシタＤ４の一端及び第３抵抗Ｄ５の一端に電気的に接続され、第２温度検出スイッチＤ２の他端及び第２検査部材Ｄ３の他端が第２ダイオードＤ６の陽極端及び前記第３キャパシタＤ８の一端、第２ブザーＤ９の一端、第４抵抗Ｄ１０の一端に電気的に接続され、第４抵抗Ｄ１０の他端が発光ダイオードＤ１１の陰極端に電気的に接続され、発光ダイオードＤ１１の陽極端が前記第２ブザーＤ９の他端、第３キャパシタＤ８の他端及び第３ダイオードＤ７の陰極端に電気的に接続され、第３ダイオードＤ７の陽極端が第２ダイオードＤ６の陰極端及び第２キャパシタＤ４の他端、第３抵抗Ｄ５の他端に電気的に接続されている。
【００２６】
第２温度検出スイッチＤ２は二重金属片であり、その膨張係数がより大きい金属片が膨張係数の小さい金属片に向かってたわみ、湾曲変形を生じることを利用して、温度検出警報回路板Ｄの電気回路を導通させ、警報音または（及び）光を発生させるものである。
第２キャパシタＤ４の値は４７４ジュールであり、第３抵抗Ｄ５の値は１ＭΩであり、第２ダイオードＤ６の型番は１Ｎ４７４９であり、第３ダイオードＤ７の型番は１Ｎ４００７であり、第３キャパシタＤ８の値は３．３μＦであり、第４抵抗Ｄ１０の値は２２０Ωである。
温度が温度検出警報回路板Ｄの電気回路を導通させるに至らないときは、第２温度検出スイッチＤ２がオフの状態であり、このとき温度検出警報回路板Ｄの電気回路の消費電力量は０ワットに等しい。温度が温度検出警報回路板Ｄの電気回路を導通させるに至ったときは、第３温度検出スイッチＤ２がオンの状態になり、このとき温度検出警報回路板Ｄの電気回路の消費電力量は２０ｍＡに等しい。
【００２７】
図７は、本考案の実施例５を示す。
実施例５において、温度検出警報装置は、１対複数のコンセントアダプタＥ、即ち、２つの刃を有するプラグ１つが３つの差込孔を有する複数の差込口に対応するコンセントアダプタＥより成る本体を含む。
コンセントアダプタＥは、温度検出警報回路板Ｅ１、機能検査部材Ｅ２、ＬＥＤランプＥ３、スピーカー孔Ｅ４を含む。
任意の電器をコンセントアダプタＥの差込口に接続して、負荷電流が過大になり温度が上昇すると、温度検出警報回路板Ｅ１に設けた二重金属片の膨張係数がより大きい金属片が膨張係数の小さい金属片に向かってたわみ、二重金属片が湾曲変形する。すると、温度検出警報回路板Ｅ１の電気回路が導通し、警告光がＬＥＤランプＥ３により発せられ、警報音がスピーカー孔Ｅ４より発せられて、コンセントアダプタＥが過熱状態のまま再度使用されることを回避し、使用上の安全性を高めることができる。機能検査部材Ｅ２は前記温度検出警報回路板Ｅ１が正常な動作状態にあるか否かを検査することができる。
【００２８】
以上は、本考案の実施例の説明であって、本考案の権利範囲を限定するものではなく、数値の変更や同等の機能を有する部材への置き換えはいずれも本考案の権利範囲に含まれる。
【符号の説明】
【００２９】
１                    本体
１１                  プラグ
１１０                温度検出警報回路板
１１０１              第１交流電源
１１０２              第１温度検出スイッチ
１１０４              第１抵抗
１１０６              第１ダイオード
１１０７              第２抵抗
１１０８              第１キャパシタ
１１０９              第１ブザー
１１１                機能検査部材
１１２                ＬＥＤランプ
１１３                スピーカー孔
１２                  コンセント
１２０                温度検出警報回路板
１２０１              第１交流電源
１２０２              第１温度検出スイッチ
１２０４              第１抵抗
１２０６              第１ダイオード
１２０７              第２抵抗
１２０８              第１キャパシタ
１２０９              第１ブザー
１２１                機能検査部材
１２２                ＬＥＤランプ
１２３                スピーカー孔
Ａ                    テーブルタップ
Ａ１                  温度検出警報回路板
Ａ１１                機能検査部材
Ａ１２                ＬＥＤランプ
Ａ１３                スピーカー孔
Ｃ                    コンセントアダプタ
Ｃ１                  温度検出警報回路板
Ｃ１１                機能検査部材
Ｃ１２                ＬＥＤランプ
Ｃ１３                スピーカー孔
Ｄ                    温度検出警報回路板
Ｄ１                  第２交流電源
Ｄ２                  第２温度検出スイッチ
Ｄ３                  第２検査部材
Ｄ４                  第２キャパシタ
Ｄ５                  第３抵抗
Ｄ６                  第２ダイオード
Ｄ７                  第３ダイオード
Ｄ８                  第３キャパシタ
Ｄ９                  第２ブザー
Ｄ１０                第４抵抗
Ｄ１１                発光ダイオード
Ｅ                    コンセントアダプタ
Ｅ１                  温度検出警報回路板
Ｅ２                  機能検査部材
Ｅ３                  ＬＥＤランプ
Ｅ４                  スピーカー孔
【図１】
0003191808.tif 000003
【図２】
0003191808.tif 000004
【図３】
0003191808.tif 000005
【図４】
0003191808.tif 000006
【図５】
0003191808.tif 000007
【図６】
0003191808.tif 000008
【図７】
0003191808.tif 000009